(57)【特許請求の範囲】
【請求項１】
飼育槽内でタコ同士の争いを防ぎながら飼育するタコの飼育方法であって、
前記飼育槽内に、複数の前記タコと、前記タコを飼育するための飼育水と、前記タコが吸い付くことができる大きさの面を有した少なくとも２つの吸付き体を前記タコが入り込むことが可能な隙間であるタコ進入隙間を介して互いに対向配置するとともに前記タコ進入隙間の外側端の全周のうちの少なくとも半分以上が外部に対して開口するように前記２つの吸付き体の外縁部間を開放状態としたタコ飼育用シェルタとを配置して前記複数のタコを飼育することを特徴とするタコの飼育方法。
【請求項２】
請求項１に記載したタコの飼育方法において、
前記２つの吸付き体の少なくとも一方は、黒色系の色で形成されていることを特徴とするタコの飼育方法。
【請求項３】
請求項１または請求項２に記載したタコの飼育方法において、
前記吸付き体は、
方形に形成されていることを特徴とするタコの飼育方法。
【請求項４】
請求項３に記載したタコの飼育方法において、さらに、
互いに対向する前記２つの吸付き体を同各吸付き体の各四隅を介して互いに連結する連結具を備えることを特徴とするタコの飼育方法。
【請求項５】
請求項３または請求項４に記載したタコの飼育方法において、
前記連結具は、
互いに対向する前記２つの吸付き体間に配置される隙間形成筒と、
互いに対向する前記２つの吸付き体および前記隙間形成筒を貫通する連結棒とを備えることを特徴とするタコの飼育方法。
【請求項６】
請求項３ないし請求項５のうちのいずれか１つに記載したタコの飼育方法において、
互いに対向する前記２つの吸付き体間の前記タコ進入隙間における四隅のうちの少なくとも１つを塞ぐコーナーカバーを備えることを特徴とするタコの飼育方法。
【請求項７】
請求項１ないし請求項６のうちのいずれか１に記載したタコの飼育方法において、
前記２つの吸付き体の外縁部の全周が開放状態であることを特徴とするタコの飼育方法。
【請求項８】
請求項１ないし請求項７のうちのいずれか１に記載したタコの飼育方法において、
前記吸付き体は、
外縁部に前記タコ進入隙間に連通する連通部を備えることを特徴とするタコの飼育方法。
【請求項９】
請求項１ないし請求項８のうちのいずれか１に記載したタコの飼育方法において、
前記飼育槽は、建屋の中に配置されることを特徴とするタコの飼育方法。
【請求項１０】
請求項１ないし請求項８のうちのいずれか１に記載したタコの飼育方法において、
前記飼育槽は、海上に設置した生簀であることを特徴とするタコの飼育方法。
【請求項１１】
請求項１ないし請求項８のうちのいずれか１に記載したタコの飼育方法において、
前記飼育槽は、車に設置されていることを特徴とするタコの飼育方法。
【請求項１２】
請求項１ないし請求項１１のうちのいずれか１に記載したタコの飼育方法において、
前記タコ飼育用シェルタは、前記飼育槽内に前記タコを入れる前に配置されることを特徴とするタコの飼育方法。
【請求項１３】
タコが吸い付くことができる大きさの面を有した少なくとも２つの吸付き体を前記タコが入り込むことが可能な隙間であるタコ進入隙間を介して互いに対向配置するとともに前記タコ進入隙間の外側端の全周のうちの少なくとも半分以上が外部に対して開口するように前記２つの吸付き体の外縁部間を開放状態とするとともに、互いに対向する前記２つの吸付き体間の前記タコ進入隙間における四隅のうちの少なくとも１つを塞ぐコーナーカバーを備えることを特徴とするタコ飼育用シェルタ。
【請求項１４】
タコを飼育するための飼育槽と、
タコが吸い付くことができる大きさの面を有した少なくとも２つの吸付き体を前記タコが入り込むことが可能な隙間であるタコ進入隙間を介して互いに対向配置するとともに前記タコ進入隙間の外側端の全周のうちの少なくとも半分以上が外部に対して開口するように前記２つの吸付き体の外縁部間を開放状態としたタコ飼育用シェルタとを備え、
前記タコ飼育用シェルタは、
前記飼育槽内における水流に対して前記吸付き体が交わる向きで配置されていることを特徴とするタコの飼育システム。
【発明の詳細な説明】
【技術分野】
【０００１】
本発明は、タコの飼育方法、タコの飼育に使用するタコ飼育用シェルタおよびこのタコ飼育用シェルタを用いたタコの飼育システムに関する。
【背景技術】
【０００２】
従来から、タコの完全養殖（成体から採った卵を孵化させて採卵可能な成体まで人工的に育てること）が試みられているが、タコの浮遊幼生期および幼生期以降の着底生活移行期において存在する種々の課題によって実現に至っていない。これらの課題のうち着底生活移行期においては、タコの縄張り意識および他者への攻撃性の高さに起因する共食いや喧嘩によって生残率および負傷による品質の低下が著しくタコの大量飼育を困難なものとしている。そこで、下記特許文献１には、タコを個別飼育する筒体を多数収容することができるケージを備えたタコの養殖モジュールが提案されている。
【先行技術文献】
【特許文献】
【０００３】
【特許文献１】特開平１０−２６２４８８号公報
【０００４】
しかしながら、上記特許文献１に記載されたタコの養殖モジュールにおいては、狭小空間でタコを飼育するため、本来、捕食のために活発に動き回るタコに過大なストレスを与えて生残率および成育性が低下して良質なタコを効率的に育てることができないという問題がある。また、個別飼育では、個別に給餌する必要があり効率的な飼育が出来ないという問題もある。
【０００５】
本発明は上記問題に対処するためなされたもので、その目的は、タコの自由な活動を確保しながら共食いや負傷を防止して良質なタコを効率的に育てることができるタコの飼育方法、タコ飼育用シェルタおよびタコの飼育システムを提供することにある。
【発明の概要】
【０００６】
上記目的を達成するため、本発明の特徴は、飼育槽内でタコ同士の争いを防ぎながら飼育するタコの飼育方法であって、飼育槽内に、複数のタコと、タコを飼育するための飼育水と、タコが吸い付くことができる大きさの面を有した少なくとも２つの吸付き体をタコが入り込むことが可能な隙間であるタコ進入隙間を介して互いに対向配置するとともにタコ進入隙間の外側端の全周のうちの少なくとも半分以上が外部に対して開口するように２つの吸付き体の外縁部間を開放状態としたタコ飼育用シェルタとを配置して複数のタコを飼育することにある。
【０００７】
このように構成した本発明の特徴によれば、タコの飼育方法は、タコ飼育シェルタがタコが吸い付くことができる大きさの面を有した少なくとも２つの吸付き体をタコ進入隙間を介して対向配置するとともに２つの吸付き体の外縁部の半分以上を開放して構成しているため、タコは広範に開口した２つの吸付き体の外縁部から２つの吸付き体の隙間、すなわち、タコ進入隙間内に入り込むことができ、タコにとって逃げ場や住処として機能することができる。この結果、タコの飼育方法は、飼育槽内でのタコの自由な活動を確保しながら共食いや争いによる負傷を防止して良質なタコを効率的に育てることができる。
【０００８】
また、本発明に係るタコ飼育用シェルタにおいては、２つの吸付き体の外縁部の少なくとも半分以上が開口しているため、タコ進入隙間内に入り込んだタコの有無や生死を容易に視認することができるとともにタコ飼育用シェルタを引き上げることでタコの捕獲作業を容易にすることができる。この点において、従来からタコの飼育や捕獲に一般的に用いられている所謂タコツボや上記特許文献１に記載のタコの養殖モジュールにおいては、タコツボ内や筒体内に入り込んだタコの有無や生死の確認およびタコの取り出しが極めて困難であった。特に、タコツボ内や筒体内でタコが死亡すると飼育水の水質が急速に悪化するため、タコの死亡の早期発見は極めて重要である。
【０００９】
また、本発明の他の特徴は、前記タコの飼育方法において、２つの吸付き体の少なくとも一方は、黒色系の色で形成されていることにある。この場合、黒色系とは、黒色および黒色に類似した、濃赤色、濃青色、濃褐色または濃紫色などの濃色を含む色のことである。この場合、タコ飼育用シェルタは、２つの吸付き体の両方（少なくとも、タコ進入隙間を形成する面）を黒色系の色で形成することが好ましい。このように構成した本発明の特徴によれば、タコの飼育方法においては、本発明者らの実験によれば、タコ飼育用シェルタにおける吸付き体を濃色（特に黒色）で構成することによりタコがタコ進入隙間内に積極的に入り込むことを確認した。
【００１０】
また、本発明の他の特徴は、前記タコの飼育方法において、吸付き体は、方形に形成されていることにある。このように構成した本発明の特徴によれば、タコの飼育方法は、タコ飼育用シェルタにおける吸付き体が方形に形成されているため、吸付き体の製作が容易かつ材料の歩留まりが良好になるとともに、タコ飼育用シェルタの設置効率および保管効率を向上させることができる。また、タコ飼育用シェルタは、水底に対して吸付き体を起立させた状態で配置した場合に水底上を転がり難く安定した状態で設置することができる。
【００１１】
また、本発明の他の特徴は、前記タコの飼育方法において、互いに対向する２つの吸付き体を同各吸付き体の各四隅を介して互いに連結する連結具を備えることにある。このように構成した本発明の特徴によれば、タコの飼育方法は、タコ飼育用シェルタにおける互いに対向する２つの吸付き体を同各吸付き体の各四隅を介して互いに連結する連結具を備えるため、２つの吸付き体を強固に連結してタコ飼育用シェルタの剛性を高めることができるとともに、吸付き体の中央部側、すなわち、奥側にタコがより深く入り込むスペースを広く確保することができる。
【００１２】
また、本発明の他の特徴は、前記タコの飼育方法において、連結具は、互いに対向する２つの吸付き体間に配置される隙間形成筒と、互いに対向する２つの吸付き体および隙間形成筒を貫通する連結棒とを備えることにある。このように構成した本発明の特徴によれば、タコの飼育方法は、タコ飼育用シェルタにおける連結具が２つの吸付き体間に配置される隙間形成筒と２つの吸付き体および隙間形成筒を貫通する連結棒とで構成されているため、簡単にタコ進入隙間を形成することができるとともに異なる長さの隙間形成筒を付け替えることによって簡単にタコ進入隙間変更することができる。この場合、タコ飼育用シェルタは、３つ以上の吸付き体を備えることにより２つの以上のタコ進入隙間を形成した場合、各タコ進入隙間ごとに互いに異なる長さの隙間形成筒を用いることで各タコ進入隙間ごとに隙間量を変えることができる。また、タコ飼育用シェルタは、１つのタコ進入隙間において互いに異なる隙間形成筒を用いることにより１つのタコ進入隙間内で隙間量を変化させることでタコの好みの隙間位置に進入させることができる。
【００１３】
また、本発明の他の特徴は、前記タコの飼育方法において、互いに対向する２つの吸付き体間のタコ進入隙間における四隅のうちの少なくとも１つを塞ぐコーナーカバーを備えることにある。このように構成した本発明の特徴によれば、タコの飼育方法は、タコ飼育用シェルタにおける２つの吸付き体間のタコ進入隙間における四隅のうちの少なくとも１つを塞ぐコーナーカバーを備えているため、タコ進入隙間内に影となる角部ができることによってタコが好んで入るようになる。
【００１４】
また、本発明の他の特徴は、前記タコの飼育方法において、２つの吸付き体の外縁部の全周が開放状態であることにある。このように構成した本発明の特徴によれば、タコの飼育方法は、タコ飼育用シェルタにおける２つの吸付き体の外縁部の全周が開放状態であるため、タコがタコ進入隙間内に出入りし易いとともに飼育者がタコ進入隙間内のタコを確認し易くすることができる。なお、２つの吸付き体の外縁部は、全周のうちの少なくとも半分以上が開放されていればよいが、好ましくは、全周のうちの２／３以上が開放されていることによってタコのタコ進入隙間への出入りが活発になる。この場合、２つの吸付き体の外縁部の開放部分は、断続的であっても連続的であってもよい。
【００１５】
また、本発明の他の特徴は、前記タコの飼育方法において、吸付き体は、外縁部にタコ進入隙間に連通する連通部を備えることにある。このように構成した本発明の特徴によれば、タコの飼育方法は、タコ飼育用シェルタにおける吸付き体の外縁部にタコ進入隙間に連通する連通部を備えているため、この切欠きを壁や水底に面して配置することでタコ進入隙に対して飼育水の出入りを確保してタコ進入隙間内のゴミの滞留を防止することができる。なお、連通部としては、外縁部の一部を切り欠いた切欠きや、外縁部の近傍に形成した貫通孔などで構成することができる。
【００１６】
また、本発明の他の特徴は、前記タコの飼育方法において、飼育槽は、建屋の中に配置されることにある。
【００１７】
また、本発明の他の特徴は、前記タコの飼育方法において、飼育槽は、海上に設置した生簀であることにある。
【００１８】
また、本発明の他の特徴は、前記タコの飼育方法において、飼育槽は、車に設置されていることにある。
【００１９】
また、本発明の他の特徴は、前記タコの飼育方法において、タコ飼育用シェルタは、飼育槽内にタコを入れる前に配置されることにある。
【００２０】
また、本発明は、タコの飼育方法の発明として実施できるばかりではなく、タコ飼育用シェルタおよびこのタコ飼育用シェルタを用いたタコの飼育システムの発明としても実施できるものである。
【００２１】
具体的には、タコ飼育用シェルタは、タコが吸い付くことができる大きさの面を有した少なくとも２つの吸付き体をタコが入り込むことが可能な隙間であるタコ進入隙間を介して互いに対向配置するとともにタコ進入隙間の外側端の全周のうちの少なくとも半分以上が外部に対して開口するように２つの吸付き体の外縁部間を開放状態とするとよい。
【００２２】
このように構成した本発明の特徴によれば、タコ飼育用シェルタは、タコが吸い付くことができる大きさの面を有した少なくとも２つの吸付き体をタコ進入隙間を介して対向配置するとともに２つの吸付き体の外縁部の半分以上を開放して構成しているため、タコは広範に開口した２つの吸付き体の外縁部から２つの吸付き体の隙間、すなわち、タコ進入隙間内に入り込むことができ、タコにとって逃げ場や住処として機能することができる。この結果、タコ飼育用シェルタは、飼育槽内でのタコの自由な活動を確保しながら共食いや争いによる負傷を防止して良質なタコを効率的に育てることができる。また、本発明に係るタコ飼育用シェルタにおいては、２つの吸付き体の外縁部の少なくとも半分以上が開口しているため、タコ進入隙間内に入り込んだタコの有無や生死を容易に視認することができるとともにタコ飼育用シェルタを引き上げることでタコの捕獲作業を容易にすることができる。この点において、従来からタコの飼育や捕獲に一般的に用いられている所謂タコツボや上記特許文献１に記載のタコの養殖モジュールにおいては、タコツボ内や筒体内に入り込んだタコの有無や生死の確認およびタコの取り出しが極めて困難であった。特に、タコツボ内や筒体内でタコが死亡すると飼育水の水質が急速に悪化するため、タコの死亡の早期発見は極めて重要である。
【００２３】
この場合、タコ飼育用シェルタは、互いに対向する前記２つの吸付き体間の前記タコ進入隙間における四隅のうちの少なくとも１つを塞ぐコーナーカバーを備えるとよい。このように構成した本発明の特徴によれば、タコ飼育用シェルタは、２つの吸付き体間のタコ進入隙間における四隅のうちの少なくとも１つを塞ぐコーナーカバーを備えているため、タコ進入隙間内に影となる角部ができることによってタコが好んで入るようになる。
【００２４】
また、タコの飼育システムは、タコを飼育するための飼育槽と、飼育槽内に設置した請求項１ないし請求項８のうちのいずれか１に記載したタコ飼育用シェルタとを備えるようにすればよい。この場合、飼育槽は、タコの飼育水を貯留した水槽のほか、洋上に設置した生簀も含まれる。また、タコの飼育水を貯留した水槽には、地上に固定的に設けられた水槽のほかに、移動可能な水槽、例えば、小型水槽や活魚車の水槽も含まれる。
【００２５】
この場合、前記タコの飼育システムにおいて、タコ飼育用シェルタは、タコ進入隙間が水深方向に沿うように配置されるとよい。これによれば、タコの飼育システムは、本発明者らによる実験によれば、タコ飼育用シェルタをタコ進入隙間が水平方向に延びるように配置した場合に比べてタコのタコ飼育用シェルタの利用率が向上するとともに、タコ進入隙間の水平方向への開放量が減るためタコ同士がお互いを見つけ難くなっての争いが生じることを抑制することができる。
【００２６】
また、前記タコの飼育システムにおいて、タコ飼育用シェルタは、飼育槽内における水流に対して吸付き体が交わる向きで配置されるとよい。この場合、タコ飼育用シェルタは、吸付き体を水流に対して直交する向きで配置することが好ましい。これにより、本発明者らの実験によれば、タコ飼育用シェルタを吸付き体が水流に対して平行になる向きで設置した場合に比べてタコのタコ飼育用シェルタの利用率を向上させることができる。なお、飼育槽内の飼育水の水流としては、飼育槽内での飼育水の循環や撹拌のための水流やエアレーションによる水流がある。また、飼育水の浄化による水流、すなわち、清水または浄化した飼育水を飼育槽内に供給する給水管から飼育槽内の飼育水を排水または浄化するために取水する取水管に向かう水流である。
【図面の簡単な説明】
【００２７】
【図１】本発明の一実施形態に係るタコ飼育用シェルタの外観構成を示す斜視図である。
【図２】図１に示すタコ飼育用シェルタの組立構成を説明するために各部品を分解した分解斜視図である。
【図３】本発明の一実施形態に係るタコの飼育システムの構成の概略を模式的に示した断面図である。
【図４】図３示すタコの飼育システムにおける飼育槽内へのタコ飼育用シェルタの配置を説明するための飼育槽２０１の平面図である。
【図５】本発明の変形例に係るタコ飼育用シェルタの外観構成を示す斜視図である。
【図６】本発明の他の変形例に係るタコ飼育用シェルタの外観構成を示す斜視図である。
【図７】本発明の他の変形例に係るタコ飼育用シェルタの外観構成を示す斜視図である。
【図８】本発明の変形例に係るタコの飼育用システムの構成の概略を模式的に示した側面図である。
【発明を実施するための形態】
【００２８】
以下、本発明に係るタコ飼育用シェルタおよびタコの飼育システムの一実施形態について図面を参照しながら説明する。図１は、本発明に係るタコ飼育用シェルタ１００の外観構成を示す斜視図である。また、図２は、図１に示すタコ飼育用シェルタ１００の組立構成を説明するために各部品を分解した分解斜視図である。また、図３は、本発明に係るタコの飼育システム２００の構成の概略を模式的に示した断面図である。また、図４は、図３示すタコの飼育システム２００における飼育槽２０１内へのタコ飼育用シェルタの配置を説明するための飼育槽２０１の平面図である。このタコ飼育用シェルタ１００は、飼育槽２０１内においてタコＯ（主として、マダコ、イイダコまたはミズダコ）の逃げ場または住処となる器具である。
【００２９】
（タコ飼育用シェルタ１００の構成）
タコ飼育用シェルタ１００は、４つの吸付き体１０１をそれぞれ備えている。吸付き体１０１は、タコＯが入り込むタコ進入隙間１０３を形成するための部品であり、タコＯが吸盤で吸い付くことができる大きさの面を有した板状体で構成されている。本実施形態においては、吸付き体１０１は、樹脂材（例えば、ポリ塩化ビニル樹脂）を一辺が３００ｍｍ、厚さが１ｍｍの正方形の板状に形成して構成されている。
【００３０】
これらの各吸付き体１０１は、表裏面がタコＯが吸い付くことができる滑らかな平面状に形成されるとともに黒色にそれぞれ着色されている。また、各吸付き体１０１の四隅には、後述する連結具１０４を取り付けるための貫通孔からなる連結孔１０２がそれぞれ形成されている。そして、これらの４つの吸付き体１０１は、それぞれタコ進入隙間１０３を介して互いに並列に並べられた状態で連結具１０４によって一体的に連結されている。
【００３１】
タコ進入隙間１０３は、タコＯが進入して居つく場所（空間）であり、互いに対向し合う吸付き体１０１によって形成されている。この場合、タコ進入隙間１０３は、タコＯの大きさに応じてタコＯが進入することができる間隔量Ｌで形成される。本発明者らの実験によれば、タコ進入隙間１０３の隙間量Ｌは、湿重量１００ｇ〜１ｋｇの重さのタコＯにおいては２ｃｍ以上かつ１０ｃｍ以下が好適である。本実施形態においては、４つの吸付き体１０１によって形成される３つのタコ進入隙間１０３は、全て同じ隙間量Ｌで形成されている。なお、タコ進入隙間１０３の隙間量Ｌは、タコＯの大きさ、飼育季節または性格などの飼育環境に応じて適宜設定されるものであり、２ｃｍ以上かつ１０ｃｍ以下に限定されるものでないことは当然であり、隙間量Ｌを２ｃｍ未満または１０ｃｍ以上に設定してもよいことは当然である。
【００３２】
連結具１０４は、４つの吸付き体１０１を一体的に連結するための部品であり、主として、隙間形成筒１０５、連結棒１０６および連結ナット１０７によって構成されている。隙間形成筒１０５は、互いに対向する吸付き体１０１間に配置されてタコ進入隙間１０３の隙間量Ｌを規定するための部品であり、樹脂材（例えば、ポリ塩化ビニル樹脂）を円筒状に形成して構成されている。この場合、隙間形成筒１０５は、連結棒１０６が貫通可能な内径に形成されるとともに、隙間形成筒１０５の両端部にそれぞれ配置される２つの吸付き体１０１の面を押圧可能な肉厚を確保する外径に形成されている。この隙間形成筒１０５は、本実施形態においては、１つの吸付き体１０１に形成された４つの連結孔１０２および３つのタコ進入隙間１０３にそれぞれ対応して１２個設けられている。
【００３３】
連結棒１０６は、４つの吸付き体１０１および３つの隙間形成筒１０５を連結ナット１０７と協働して一体的に連結するための部品であり、４つの吸付き体１０１および３つの隙間形成筒１０５を貫通する長さの棒状の雄ネジで構成されている。この連結棒１０６は、４つの吸付き体１０１の各厚さおよび３つの隙間形成筒１０５の各長さの総量よりも長い長さに形成される。
【００３４】
この場合、連結棒１０６は、吸付き体１０１について厚さの異なる吸付き体１０１を複数種類用意した場合や、隙間形成筒１０５について長さの異なる複数の隙間形成筒１０５を用意した場合には最も厚くなる組合せにおける両端の吸付き板１０１間の距離よりも長い長さに形成される。この連結棒１０６は、本実施形態においては、１つの吸付き体１０１に形成された４つの連結孔１０２に対応して４つ設けられている。また、連結棒１０６は、海水中においても腐食しない材料、例えば、ステンレス材や樹脂材で構成されている。
【００３５】
連結ナット１０７は、４つの吸付き体１０１および３つの隙間形成筒１０５を連結棒１０６と協働して一体的に連結するための部品であり、連結棒１０６の外表面に形成された雄ネジに噛み合う雌ネジが形成された筒体で構成されている。この連結ナット１０７は、本実施形態においては、１つの連結棒１０６の両端から締め付けられる。したがって、連結ナット１０７は、本実施形態においては、４つの連結棒に対応して８つ設けられている。また、連結ナット１０７は、海水中においても腐食しない材料、例えば、ステンレス材や樹脂材で構成されている。また、これらの隙間形成筒１０５、連結棒１０６および連結ナット１０７からなる連結具１０７は、吸付き体１０１と同様に黒色に着色されている。
【００３６】
ここで、タコ飼育用シェルタ１００の製作過程について簡単に説明しておく。タコ飼育用シェルタ１００を製作する作業者は、吸付き体１０１および連結具１０４をそれぞれ用意する。本実施形態においては、作業者は、４つの吸付き体１０１、１２個の隙間形成筒１０５、４つの連結棒１０６および８つの連結ナット１０７をそれぞれ用意する。
【００３７】
次に、作業者は、４つの連結棒１０６における各一方の端部にそれぞれ連結ナット１０７をネジ嵌合させた後、これら４つの連結棒１０６における各他方の端部から１つの吸付き体１０１および４つの隙間形成筒１０５を交互に挿入する。そして、作業者は、４つの連結棒１０６に４つ目の吸付き体１０１を挿入した後に、これら４つの連結棒１０６における各他方の端部にそれぞれ連結ナット１０７をネジ嵌合させて締め付ける。
【００３８】
これにより、４つの連結棒１０６に４つの吸付き体１０１および１２個の隙間形成筒１０５が取り付けられて３つのタコ進入隙間１０３を有したタコ飼育用シェルタ１００が完成する。この場合、タコ飼育用シェルタ１００は、１２個の隙間形成筒１０５がそれぞれ同じ長さに形成されているため、各吸付き体１０１間に形成される３つのタコ進入隙間１０３の隙間量Ｌはすべて同じであるとともに１つのタコ進入隙間１０３内における隙間量Ｌも均一である。すなわち、４つの吸付き体１０１は、互いに平行な状態で対向配置されている。
【００３９】
（タコの飼育システム２００の構成）
このように構成されたタコ飼育用シェルタ１００は、タコＯを飼育する飼育槽２０１内に設置されてタコの飼育システム２００を構成する。飼育槽２０１は、着底生活に移行した複数のタコＯを飼育するための水槽であり、ＦＲＰ（繊維強化樹脂）材を上方が開口するとともに所定の深さを有した平面視で長方形状の箱状に形成されている。この飼育槽２０１の平面的な大きさや深さは特に限定されないが、本実施形態においては、縦が２ｍ、横が３ｍ、高さが１.５ｍに形成されており、飼育槽２０１内に約１ｍの深さで飼育水Ｗが満たされている。また、飼育槽２０１は、本実施形態においては、陸上の建屋の中に設置されている。
【００４０】
この飼育槽２０１の内壁面は、飼育槽２０１内のタコＯを視認し易くするとともにタコＯにタコ飼育用シェルタ１００への興味を喚起するために青色に着色されている。また、飼育槽２０１には、長手方向の一方（図示右側）の端部側には、取水管２０２が設けられているとともに、他方（図示左側）の端部には給水管２０５が設けられている。
【００４１】
取水管２０２は、飼育槽２０１内の飼育水Ｗの一部を吸引して浄化槽２０３に導くための配管である。浄化槽２０３は、取水管２０２によって取り込まれた飼育水Ｗをろ過および殺菌して浄化する機械装置である。この浄化槽２０３によって浄化された飼育水Ｗは、送水ポンプ２０４によって給水管２０５を介して飼育槽２０１に戻される。
【００４２】
また、このタコの飼育システム２００には、飼育槽２０１内の飼育水Ｗの水位を一定に保つ排水管、飼育槽２０１や浄化槽２０３に酸素を供給するエアレーション設備、飼育水Ｗの塩分、ｐＨ（ペーハ）、温度およびアンモニア濃度を検出する機器などタコＯを飼育するために一般的に必要な他の設備を備えている。しかし、これらの各設備については、本発明に直接関わらないため、その説明は省略する。
【００４３】
（タコ飼育用シェルタ１００およびタコの飼育システムの作動）
次に、このように構成されたタコ飼育用シェルタ１００およびタコの飼育システム２００によるタコＯの飼育方法について説明する。まず、タコＯを飼育する飼育者は、飼育槽２０１内を飼育水Ｗで満たして浄化槽２０３および送水ポンプ２０４をそれぞれ作動させて飼育槽２０１内における飼育環境（水質、水温および塩分など）をタコＯを飼育可能な環境に整える。
【００４４】
次に、飼育者は、飼育槽２０１内にタコ飼育用シェルタ１００を設置する。具体的には、飼育者は、タコ飼育用シェルタ１００の全体を飼育水Ｗ中に水没させて配置する。この場合、タコ飼育用シェルタ１００は、飼育水Ｗ中であれば位置や姿勢は特に限定されるものではないが、タコＯのタコ飼育用シェルタ１００の利用率を高める観点から以下の状態で設置することがより好ましい。
【００４５】
まず、タコ飼育用シェルタ１００は、吸付き体１０１の四辺のうちのいずれかが飼育槽２０１の水底上に接触している姿勢が好ましい（図３参照）。これにより、タコ飼育用シェルタ１００は、飼育水Ｗ中において水流やタコＯのイタズラによって姿勢変化することが抑制されて水中での安定性を高めることができる。次に、タコ飼育用シェルタ１００は、タコ進入隙間１０３が水深方向に沿って延びる向きで配置することが好ましい（図３および図４参照）。これにより、本発明者らの実験によれば、タコ進入隙間１０３を水平方向に沿って延びる向きで設置した場合に比べてタコＯのタコ飼育用シェルタ１００の利用率を向上させることができる。
【００４６】
次に、タコ飼育用シェルタ１００は、飼育槽２０１内に水流が生じている場合には、吸付き体１０１を水流に交わる向き、より好ましくは、吸付き体１０１を水流に対して直交する向きで配置することが好ましい（図３参照）。これにより、本発明者らの実験によれば、タコ飼育用シェルタ１００を吸付き体１０１が水流に対して平行になる向きで設置した場合に比べてタコＯのタコ飼育用シェルタ１００利用率を向上させることができる。本実施形態においては、飼育槽２０１は、給水管２０４から取水管２０２に向かって水流（図３に破線矢印参照）が生じているため、吸付き体１０１を水流に対して直交する向きでタコ飼育用シェルタ１００を配置する。
【００４７】
次に、タコ飼育用シェルタ１００は、飼育槽２０１内に複数配置する場合には、互いにタコ進入隙間１０３同士が至近距離で同一平面上に位置しないように隣接するタコ飼育用シェルタ１００におけるタコ進入隙間１０３をずらして（図４参照）、または吸付き体１０１に直交する方向に直列に配置するとよい（図４参照）。これによれば、互いに近接配置したタコ飼育用シェルタ１００間において、各タコ飼育用シェルタ１００内のタコＯ同士が互いを確認し難くなるため無用の争いを抑制することができる。
【００４８】
なお、本実施形態においては、飼育者は、タコ飼育用シェルタ１００の全体を飼育水中に水没させて配置しているが、タコ飼育用シェルタ１００の吸付き体１０１における少なくともタコＯが張り付くことができる面積分を飼育水Ｗ中に浸して配置すればよい。つまり、タコ飼育用シェルタ１００は、その一部分が飼育水Ｗの水面上に露出していてもよい。
【００４９】
次に、飼育者は、飼育槽２０１内にタコ飼育用シェルタ１００を設置した場合には、飼育槽２０１内にタコＯを入れる。これにより、タコＯは、飼育槽２０１内においてタコ飼育用シェルタ１００におけるタコ進入隙間１０３内に進入してこのタコ進入隙間１９３内を住処として、または逃げ場として使用する。すなわち、タコ飼育用シェルタ１００およびタコの飼育システム２００は、複数のタコＯをタコＯ同士の無用の争いを避けながら飼育することができる。
【００５０】
一方、飼育者は、飼育水Ｗの水面上または水中内からタコ飼育用シェルタ１００におけるタコ進入隙間１０３内を視認することによりタコＯの健康状態を確認することができる。また、飼育者は、タコＯを捕獲する際にはタコ飼育用シェルタ１００を飼育槽２０１から取り出すことによりタコ進入隙間１０３内のタコＯを容易に捕獲することができる。この場合、飼育者は、タコ進入隙間１０３の外周部が開口しているため、タコ飼育用シェルタ１００内に飼育水が溜まることがなく少ない力でタコ飼育用シェルタ１００を飼育槽２０１から引き上げることができる。また、飼育者は、タコＯが吸付き体１０１に強固に吸付いている場合においてもタコ進入隙間１０３の外周部が開口しているため、棒体などを用いて容易に取り出すことができる。
【００５１】
また、飼育者は、タコ飼育用シェルタ１００のタコ進入隙間１０３の隙間量Ｌを変更したい場合には、連結ナット１０７を弛めて連結棒１０６から取り外した後、隙間形成筒１０５を長さの異なる隙間形成筒１０５に付け替えることによってタコ進入隙間１０３の隙間量Ｌを変更することができる。この場合、飼育者は、タコ飼育用シェルタ１００が有する複数（本実施形態においては３つ）のタコ進入隙間１０３の隙間量Ｌを互いに同じ隙間量Ｌに設定してもよいし、互いに異なる隙間量Ｌに設定してもよい。また、飼育者は、互いに対向する一対の吸付き体１０１間に配置される４つの隙間形成筒１０５について長さの異なる隙間形成筒１０５を用いることにより１つのタコ進入隙間１０３内において隙間量Ｌが変化する（換言すれば、広い隙間と狭い隙間とを有する）ように構成することもできる。そして、飼育者は、再びタコ飼育用シェルタ１００を使用する場合には、飼育槽２０１内に配置すればよい。これによれば、タコ飼育用シェルタ１００は、タコＯの好みに応じて、または１つの飼育槽２０１内で大きさの異なるタコＯを複数飼育する場合にタコＯの大きさいに応じてタコ進入隙間１０３を使用させることができる。
【００５２】
上記作動説明からも理解できるように、上記実施形態によれば、タコ飼育用シェルタ１００は、タコＯが吸い付くことができる大きさの面を有した少なくとも２つの吸付き体１０１をタコ進入隙間１０３を介して対向配置するとともに２つの吸付き体１０１の全周を開放して構成しているため、タコＯは広範に開口した２つの吸付き体１０１の外縁部から２つの吸付き体の隙間、すなわち、タコ進入隙間１０３内に入り込むことができ、タコＯにとって逃げ場や住処として機能することができる。この結果、タコ飼育用シェルタ１００は、タコＯの飼育槽２０１内での自由な活動を確保しながら共食いや争いによる負傷を防止して良質なタコを効率的に育てることができる。
【００５３】
さらに、本発明の実施にあたっては、上記実施形態に限定されるものではなく、本発明の目的を逸脱しない限りにおいて種々の変更が可能である。
【００５４】
例えば、上記実施形態においては、タコ飼育用シェルタ１００は、互いに対向する吸付き体１０１の外縁部の全周を開放状態としてタコ進入隙間１０３の外側端の全周が外部に対して開口するように構成した。これにより、タコ飼育用シェルタ１００は、タコ進入隙間１０３の外側端の全周からタコＯが出入りすることができるとともに、タコ進入隙間１０３内でのタコＯの確認や取り出しが容易となる。また、タコ飼育用シェルタ１００は、飼育水Ｗからの引き上げ時にタコ進入隙間１０３内に飼育水Ｗが溜まって重量が増すことも防止できる。
【００５５】
また、上記実施形態においては、タコ飼育用シェルタ１００は、互いに対向する２つの吸付き体１０１を互いに平行配置した。しかし、タコ飼育用シェルタ１００は、互いに対向する２つの吸付き体１０１を互いに非平行となる向きで配置することができる。これによれば、タコ飼育用シェルタ１００は、１つのタコ進入隙間１０３内で隙間量Ｌが変化するため、前記したようにタコＯの好みの隙間量Ｌのタコ進入隙間１０３内にタコＯが進入できるとともに、タコ進入隙間１０３の外側端の開口部の開口量も広く開口した部分と狭く開口した部分とが形成されるため、１つのタコ進入隙間１０３内に他のタコＯが進入することを抑制して争いが生じることを未然に防止することができる。
【００５６】
しかしながら、タコ飼育用シェルタ１００は、タコ進入隙間１０３の外側端の全周のうちの少なくとも半分以上、好適には、２／３以上が外部に対して開口していればよい。この場合、タコ飼育用シェルタ１００は、タコ進入隙間１０３の外側端の全周のうちの一部を覆って構成することもできる。具体的には、タコ飼育用シェルタ１００は、例えば、図５に示すように、互いに対向する２つの吸付き体１０１の四隅のうちの対角方向に対向する２つの角部に同角部におけるタコ進入隙間１０３の外側端を覆うＬ字状の板状体からなるコーナーカバー１１０を設けることができる。
【００５７】
これによれば、タコ飼育用シェルタ１００は、タコ進入隙間１０３内に影を形成してタコＯのタコ進入隙間１０３内への進入を促進することができるとともに、タコ進入隙間１０３内にタコＯの隠れ家に適した凹部を形成することができる。また、タコ飼育用シェルタ１００は、方形状に形成した吸付き体１０１の対角位置に２つのコーナーカバー１１０を設けることで、タコ飼育用シェルタ１００が転がっても常に一方のコーナーカバー１１０が水底より上方に位置するため、コーナーカバー１１０の利用環境を維持することができる。
【００５８】
また、上記実施形態においては、タコ飼育用シェルタ１００は、全体を黒色で構成した。これにより、タコ飼育用シェルタ１００は、本発明者らの実験によれば、吸付き体１０１０を黒色系で構成することにより、白色などの淡色や透明に形成した場合に比べてタコＯがタコ進入隙１０３内に積極的に入り込むことを確認した。なお、黒色系とは、黒色および黒色に類似した、濃赤色、濃青色、濃褐色または濃紫色などの濃色を含む色のことである。また、この場合、タコ飼育用シェルタ１００は、２つの吸付き体１０３の両方（少なくとも、タコ進入隙間１０３を形成する面）を黒色系の色で形成することが好ましい。また、上記実施形態においては、飼育槽２０１の内壁面を青色に形成したが、他の色（例えば、黒色や灰色）であってもよいことは当然である。なお、タコ飼育用シェルタ１００は、吸付き体１０１を淡色や透明に形成することを否定するものではない。
【００５９】
また、上記実施形態においては、タコ飼育用シェルタ１００は、４つの吸付き体１０１を連結具１０４によって互いに分解可能な状態で連結して構成した。しかし、タコ飼育用シェルタ１００は、タコ進入隙間１０３を形成することができる少なくとも２つの吸付き体１０１を備えていればよい。この場合、タコ飼育用シェルタ１００は、１つの吸付き体１０１を飼育槽２０１の壁面に隣接配置することで１つの吸付き体１０１と飼育槽２０１の壁体をもう１つの吸付き体１０１として構成することもできる。
【００６０】
また、タコ飼育用シェルタ１００は、互いに対向する吸付き体１０１を分解可能な連結具１０４を省略して構成することもできる。具体的には、タコ飼育用シェルタ１００は、例えば、図６に示すように、４つの吸付き体１０１のうちの互いに対向する吸付き体１０１を棒状の連結体を介して互いに繋げてこれらを一体的に形成することもできる。この場合、タコ飼育用シェルタ１００は、樹脂材や金属材料を用いた射出成形や鋳造成形によって一体的に成形することができる。
【００６１】
また、上記実施形態においては、吸付き体１０１は、一辺が３０ｃｍの正方形の板状体で構成した。これにより、タコ飼育用シェルタ１００は、吸付き体１０１を方形に形成することで製作が容易となるとともに水底上で転がり難くすることができる。しかし、吸付き体１０１は、タコＯが吸い付く（換言すれば、張り付く）ことできる大きさの面を有して形成されていればよく、正方形以外の形状、例えば、長方形、三角形または五角形などの方形や多角形のほか、円や楕円形などの各種形状に形成することができる。
【００６２】
この場合、吸付き体１０１は、平板状のほか、湾曲した板状や波板状であってもよいし、板状よりも厚さの厚いブロック状に形成されていてもよい。吸付き体１０１をブロック状に形成することにより水底上での安定性を向上させることができる。また、吸付き体１０１の大きさも３０ｃｍ四方よりも小さくてもよいし、３０ｃｍ四方よりも大きくてもよい。この場合、タコ飼育用シェルタ１００は、吸付き体１０１の大きさを３０ｃｍ四方よりも大きく形成することにより、１つのタコ進入隙間１０３内に複数のタコＯが進入する確率が高くなり、タコＯの効率的な飼育が可能となる。
【００６３】
また、吸付き体１０１の表面は、タコＯが吸付くことができる面で構成されていればよく、滑らか平坦面で形成されていてもよいし凹凸を有した面であってもよい。
【００６４】
また、吸付き体１０１の材質もポリ塩化ビニル樹脂以外の合成樹脂材、例えば、ポリエーテルエーテルケトン樹脂（ＰＥＥＫ）、ポリイミド樹脂（ＰＩ）、ポリアセタール樹脂（ＰＯＭ）、ポリ塩化ビニル樹脂（ＰＶＣ）、ポリウレタン樹脂（ＰＵＲ）、ポリカーボネート樹脂（ＰＣ）、ポリスチレン樹脂（ＰＳ）、ナイロン樹脂（ＰＡ−６Ｔ，９Ｔ）またはポリプロピレン（ＰＰ）などで構成してもよいし、樹脂以外の材料、例えば、ゴム材、金属材（鉄、非鉄、軽金属）またはセラミック材で構成することもできる。
【００６５】
また、タコ飼育用シェルタ１００は、例えば、図７に示すように、吸付き体１０１の外縁部の少なくとも一部にタコ進入隙間１０３に連通する連通部１１２を形成することができる。この場合、図７に示す連通部１１２においては、方形の吸付き体１０１の４つの辺の中央部にそれぞれ方形に切り欠いて形成されている。これにより、タコ飼育用シェルタ１００は、タコ進入隙間１０３内への飼育水Ｗを流通性が高まるため、タコ進入隙間１０３内にゴミなどの滞留を防止することができる。
【００６６】
また、上記実施形態においては、タコの飼育システム２００は、飼育槽２０１内にてタコ飼育用シェルタ１００をタコ進入隙間１０３を水平方向に沿う姿勢で配置するとともに、飼育槽２０１内の水流に対して吸付き体１０１を直交させる向きで配置した。しかし、タコの飼育システム２００は、飼育槽２０１内にてタコ飼育用シェルタ１００をどのような向きおよび姿勢で配置してもよい。したがって、タコの飼育システム２００は、飼育槽２０１内にてタコ飼育用シェルタ１００をタコ進入隙間１０３を垂直方向に沿う姿勢で配置するとともに、飼育槽２０１内の水流に対して吸付き体１０１を平行な向きで配置することもできる。
【００６７】
また、タコの飼育システム２００は、飼育槽２０１内の水底上にタコ飼育用シェルタ１００を単に置くだけでもよいし、重石やボルトなどの器具を使って固定してもよいし、飼育槽２０１の上方から吊り下げてもよい。この場合、タコ飼育用シェルタ１００は、飼育槽２０１内に固定することなく配置することでタコＯがタコ飼育用シェルタ１００を動かして遊び道具として用いることがありタコＯのストレス解消の効果もある。
【００６８】
また、上記実施形態においては、タコの飼育システム２００は、飼育槽２０１が水槽で構成した。しかし、飼育槽２０１は、海上に設置した生簀で構成することもできる。具体的には、例えば、図８に示すように、飼育槽２０１は、海面Ｓをフロートを備えた網で円筒状または方形状に仕切って構成されている。そして、タコの飼育システム２００は、海面に浮かぶ筏２１０に複数のタコ飼育用シェルタ１００をロープなどの紐体で吊るして構成されている。この場合、筏２１０に吊るした複数のタコ飼育用シェルタ１００の下方には、タコ飼育用シェルタ１００を安定せるためのウエイト２１１が設けられている。このように構成したタコの飼育システム２００においても上記実施形態と同様にタコＯを飼育することができる。
【符号の説明】
【００６９】
Ｏ…タコ、Ｌ…隙間量、Ｗ…飼育水、Ｓ…海面、
１００…タコ飼育用シェルタ、
１０１…吸付き体、１０２…連結孔、１０３…タコ進入隙間、１０４…連結具、１０５…隙間形成筒、１０６…連結棒、１０７…連結ナット、
１１０…コーナーカバー、１１１…連結体、１１２…連通部、
２００…タコの飼育システム、２０１…飼育槽、２０２…取水管、２０３…浄化槽、２０４…送水ポンプ、２０５…給水管、
２１０…筏、２１１…ウエイト。
【図１】
0006470644.tif 000002
【図２】
0006470644.tif 000003
【図３】
0006470644.tif 000004
【図４】
0006470644.tif 000005
【図５】
0006470644.tif 000006
【図６】
0006470644.tif 000007
【図７】
0006470644.tif 000008
【図８】
0006470644.tif 000009